(57)【特許請求の範囲】
【請求項１】
熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備えた風呂装置において、
前記熱媒循環回路に前記熱媒を循環させる熱媒循環手段と、
前記燃焼式加熱装置の作動状態で、前記熱媒循環回路に熱媒を循環させると共に前記浴槽水循環回路に浴槽水を循環させて浴槽水を加熱する追焚き処理を行う追焚き処理手段と、
前記追焚き処理の開始時にあたる初期追焚き期間では前記熱媒の循環流量が最大となるように前記熱媒循環手段を最大の出力で作動させ、前記初期追焚き期間の終了後に前記熱媒循環手段を前記最大の出力よりも小さい通常熱媒循環出力で作動させる熱媒循環制御手段を備える風呂装置。
【請求項２】
前記浴槽水循環回路に前記浴槽水を循環させる浴槽水循環手段と、前記熱媒循環手段の消費電力と前記浴槽水循環手段の消費電力と前記燃焼式加熱装置への投入熱量との和で前記浴槽への入力熱量を除算した追焚き効率を検知する追焚き効率検知手段とを備え、
前記熱媒循環手段は、
前記最大の出力よりも小さい第１通常熱媒循環出力で前記熱媒循環手段を作動させた場合の前記追焚き効率である第１追焚き効率と、
前記第１通常熱媒循環出力よりも小さい第２通常熱媒循環出力で前記熱媒循環手段を作動させた場合の前記追焚き効率である第２追焚き効率とを比較し、
前記第１追焚き効率よりも前記第２追焚き効率の方が大きい場合は、前記第２通常熱媒循環出力で前記熱媒循環手段を作動させ、
前記第１追焚き効率よりも前記第２追焚き効率の方が小さい場合は、前記第１通常熱媒循環出力で前記熱媒循環手段を作動させる請求項１に記載の風呂装置。
【請求項３】
前記第２熱交換器から前記第１熱交換器へ送られる前記熱媒の温度である第２熱交出温度を検出する第２熱交出温度検出手段を備え、
前記熱媒循環制御手段は、前記第２熱交出温度の単位時間当たりの上昇率が所定値を下回った時に前記初期追焚き期間が終了したと判断する請求項１または２に記載の風呂装置。
【請求項４】
前記浴槽水循環回路に前記浴槽水を循環させる浴槽水循環手段と、
前記追焚き処理の開始時にあたる前記初期追焚き期間では前記浴槽水の循環流量が最大となるように前記浴槽水循環手段を最大の出力で作動させ、前記初期追焚き期間の終了後に前記浴槽水循環手段を前記最大の出力よりも小さい通常浴槽水循環出力で作動させる浴槽水循環制御手段を備える、請求項１に記載の風呂装置。
【請求項５】
前記熱媒循環手段の消費電力と前記浴槽水循環手段の消費電力と前記燃焼式加熱装置への投入熱量との和で前記浴槽への入力熱量を除算した追焚き効率を検知する追焚き効率検知手段と、前記熱媒循環手段の出力と前記浴槽水循環手段の出力とを決定する通常循環出力決定手段とを備え、
前記通常循環出力決定手段は、
前記最大の出力よりも小さい第１通常熱媒循環出力で前記熱媒循環手段を作動させるとともに前記最大の出力よりも小さい第１通常浴槽水循環出力で前記浴槽水循環手段を作動させた場合の前記追焚き効率である第１追焚き効率と、
前記第１通常熱媒循環出力よりも小さい第２通常熱媒循環出力で前記熱媒循環手段を作動させるとともに前記第１通常浴槽水循環出力よりも小さい第２通常浴槽水循環出力で前記浴槽水循環手段を作動させた場合の前記追焚き効率である第２追焚き効率とを比較し、
前記第１追焚き効率よりも前記第２追焚き効率の方が大きい場合は、前記第２通常熱媒循環出力で前記熱媒循環手段を作動させるとともに前記第２通常浴槽水循環出力で前記浴槽水循環手段を作動させ、
前記第１追焚き効率よりも前記第２追焚き効率の方が小さい場合は、前記第１通常熱媒循環出力で前記熱媒循環手段を作動させるとともに前記第１通常浴槽水循環出力で前記浴槽水循環手段を作動させる請求項４に記載の風呂装置。
【請求項６】
前記第２熱交換器から前記第１熱交換器へ送られる前記熱媒の温度である第２熱交出温度を検出する第２熱交出温度検出手段と、
前記第２熱交換器から前記浴槽へ送られる前記浴槽水の温度である浴槽入温度を検出する浴槽入温度検出手段と、
前記第２熱交出温度の単位時間当たりの上昇率が所定値を下回り、かつ、前記浴槽入温度の単位時間当たりの上昇率が所定値を下回った時に前記初期追焚き期間が終了したと判断する第１循環制御手段を備える請求項４または５に記載の風呂装置。
【請求項７】
熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備えた風呂装置において、
前記浴槽水循環回路に前記浴槽水を循環させる浴槽水循環手段と、
前記燃焼式加熱装置の作動状態で、前記熱媒循環回路に熱媒を循環させると共に前記浴槽水循環回路に浴槽水を循環させて浴槽水を加熱する追焚き処理を行う追焚き処理手段と、
前記追焚き処理の開始時にあたる初期追焚き期間では前記浴槽水の循環流量が最大となるように前記浴槽水循環手段を最大の出力で作動させ、前記初期追焚き期間の終了後に前記浴槽水循環手段を前記最大の出力よりも小さい通常浴槽水循環出力で作動させる浴槽水循環制御手段を備え、
前記熱媒循環回路に前記熱媒を循環させる熱媒循環手段と、前記熱媒循環手段の消費電力と前記浴槽水循環手段の消費電力と前記燃焼式加熱装置への投入熱量との和で前記浴槽への入力熱量を除算した追焚き効率を検知する追焚き効率検知手段とを備え、
前記浴槽水循環手段は、
前記最大の出力よりも小さい第１通常浴槽水循環出力で前記浴槽水循環手段を作動させた場合の前記追焚き効率である第１追焚き効率と、
前記第１通常浴槽水循環出力よりも小さい第２通常浴槽水循環出力で前記浴槽水循環手段を作動させた場合の前記追焚き効率である第２追焚き効率とを比較し、
前記第１追焚き効率よりも前記第２追焚き効率の方が大きい場合は、前記第２通常浴槽水循環出力で前記浴槽水循環手段を作動させ、
前記第１追焚き効率よりも前記第２追焚き効率の方が小さい場合は、前記第１通常浴槽水循環出力で前記浴槽水循環手段を作動させる風呂装置。
【請求項８】
熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備えた風呂装置において、
前記浴槽水循環回路に前記浴槽水を循環させる浴槽水循環手段と、
前記燃焼式加熱装置の作動状態で、前記熱媒循環回路に熱媒を循環させると共に前記浴槽水循環回路に浴槽水を循環させて浴槽水を加熱する追焚き処理を行う追焚き処理手段と、
前記追焚き処理の開始時にあたる初期追焚き期間では前記浴槽水の循環流量が最大となるように前記浴槽水循環手段を最大の出力で作動させ、前記初期追焚き期間の終了後に前記浴槽水循環手段を前記最大の出力よりも小さい通常浴槽水循環出力で作動させる浴槽水循環制御手段を備え、
前記第２熱交換器から前記浴槽へ送られる前記浴槽水の温度である浴槽入温度を検出する浴槽入温度検出手段を備え、
前記浴槽水循環制御手段は、前記浴槽入温度の単位時間当たりの上昇率が所定値を下回った時に前記初期追焚き期間が終了したと判断する風呂装置。
【請求項９】
熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備えた風呂装置において、
前記浴槽水循環回路に前記浴槽水を循環させる浴槽水循環手段と、
前記燃焼式加熱装置の作動状態で、前記熱媒循環回路に熱媒を循環させると共に前記浴槽水循環回路に浴槽水を循環させて浴槽水を加熱する追焚き処理を行う追焚き処理手段と、
前記追焚き処理の開始時にあたる初期追焚き期間では前記浴槽水の循環流量が最大となるように前記浴槽水循環手段を最大の出力で作動させ、前記初期追焚き期間の終了後に前記浴槽水循環手段を前記最大の出力よりも小さい通常浴槽水循環出力で作動させる浴槽水循環制御手段を備え、
前記浴槽への入力熱量を前記燃焼式加熱装置への投入熱量で除算した追焚き効率を算出する追焚き効率検知手段を備え、
前記追焚き処理手段は、前記追焚き効率検知手段により検知された追焚き効率の上昇率が初期追焚き期間終了判定値を下回った時に前記初期追焚き期間が終了したと判断する第２循環制御手段を備える風呂装置。
【請求項１０】
前記浴槽への入力熱量を前記燃焼式加熱装置への投入熱量で除算した追焚き効率を算出する追焚き効率検知手段を備え、
前記追焚き処理手段は、前記追焚き効率検知手段により検知された追焚き効率の上昇率が初期追焚き期間終了判定値を下回った時に前記初期追焚き期間が終了したと判断する第２循環制御手段を備える請求項１、２、４、５または７のいずれか一項に記載の風呂装置。 
【発明の詳細な説明】
【技術分野】
【０００１】
本発明は、熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備えた風呂装置に関する。
【背景技術】
【０００２】
特許文献１では、温水循環用の回路２１、２２を流れる熱媒を、バーナ４Ｂを用いて加熱し、当該加熱された熱媒の熱を、追焚き用熱交換器２８を介して、浴槽水循環用の回路３１、３２を流れる浴槽水に伝えることで、浴槽水を追焚きする風呂設備が開示されている。この風呂設備では、バーナで浴槽水を直接加熱するのではなく、温水循環用の回路２１、２２を介して間接的に浴槽水を加熱するように構成されている
【０００３】
このような、いわゆる間接加熱方式の風呂装置の効率は、従来は『定格（最大）出力で連続運転した際の入力熱量にて出力熱量を除算する』形態で算出されていたが、近年、より実際の使用状態に即した効率（例えば、断続運転をも含む運転状態で算出される効率）での評価を行うことが検討されている。
【先行技術文献】
【特許文献】
【０００４】
【特許文献１】特開２００９−１４４９３５号公報
【発明の概要】
【発明が解決しようとする課題】
【０００５】
発明者らは、上記特許文献１に示される風呂装置にて間接加熱方式で追焚き処理を実行するときで、特に、実際の使用状態に即した効率、即ち、断続運転等をも含む状態で算出される効率での評価を行う場合、熱効率に改善の余地があることを見出した。具体的には、上記特許文献１における追焚き処理では、熱媒および浴槽水の循環流量について何らの考慮もされていないが、熱媒および浴槽水の循環流量は熱交換の効率と循環手段（ポンプ）の消費電力に影響するため、循環流量を適切に制御することにより装置全体としての効率を改善できる可能性がある。
【０００６】
本発明は、上述の課題に鑑みてなされたものであり、その目的は、間接加熱方式での追焚き処理において、熱媒および浴槽水の循環流量を適切に制御することにより、追焚き処理の効率を改善することが可能な風呂装置を提供することである。
【課題を解決するための手段】
【０００７】
上記目的を達成するための本発明に係る風呂装置の特徴構成は、熱媒加熱用の燃焼式加熱装置と、燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備えた風呂装置において、前記熱媒循環回路に前記熱媒を循環させる熱媒循環手段と、前記燃焼式加熱装置の作動状態で、前記熱媒循環回路に熱媒を循環させると共に前記浴槽水循環回路に浴槽水を循環させて浴槽水を加熱する追焚き処理を行う追焚き処理手段と、前記追焚き処理の開始時にあたる初期追焚き期間では前記熱媒の循環流量が最大となるように前記熱媒循環手段を最大の出力で作動させ、前記初期追焚き期間の終了後に前記熱媒循環手段を前記最大の出力よりも小さい通常熱媒循環出力で作動させる熱媒循環制御手段を備えた点にある。
【０００８】
本願発明の発明者らは鋭意研究の結果、熱媒循環回路や浴槽水循環回路における循環流量を大きくすることで、熱媒と浴槽水の熱交換が行われる第２熱交換器の熱効率を改善できることを明らかにした。実験では、熱媒および循環水の循環流量を５Ｌ／ｍｉｎから７．５Ｌ／ｍｉｎに大きくすると、第２熱交換器から流出する熱媒の温度が２〜３℃下降し、第２熱交換器から流出する浴槽水の温度は２〜３℃上昇し、風呂装置全体の効率（使用したガスの熱量と浴槽への入力熱量の比）は約２％向上した。この効率向上は、循環流量を増加させることで熱媒から浴槽水へ移動する熱量が増加したこと、すなわち第２熱交換器の熱効率が向上したことによると考えられる。
【０００９】
上記特徴構成によれば、追焚き処理の開始時にあたる初期追焚き期間では熱媒の循環流量が最大となるように熱媒循環手段を最大の出力で作動させ、初期追焚き期間の終了後に熱媒循環手段を最大の出力よりも小さい通常熱媒循環出力で作動させるので、まず初期追焚き期間において第２熱交換器の熱効率を向上させることができる。熱媒循環手段を最大の出力で作動させることにより消費電力は増大するが、初期追焚き期間の終了後に通常熱媒循環出力で作動させることにより消費電力を抑制できる。すなわち上記特徴構成により、熱効率の向上と消費電力の増大抑制を両立させて、全体としてエネルギー効率の高い風呂装置を実現することができる。
【００１０】
本発明に係る風呂装置の更なる特徴構成は、前記浴槽水循環回路に前記浴槽水を循環させる浴槽水循環手段と、前記熱媒循環手段の消費電力と前記浴槽水循環手段の消費電力と前記燃焼式加熱装置への投入熱量との和で前記浴槽への入力熱量を除算した追焚き効率を検知する追焚き効率検知手段とを備え、前記熱媒循環手段は、前記最大の出力よりも小さい第１通常熱媒循環出力で前記熱媒循環手段を作動させた場合の前記追焚き効率である第１追焚き効率と、前記第１通常熱媒循環出力よりも小さい第２通常熱媒循環出力で前記熱媒循環手段を作動させた場合の前記追焚き効率である第２追焚き効率とを比較し、前記第１追焚き効率よりも前記第２追焚き効率の方が大きい場合は、前記第２通常熱媒循環出力で前記熱媒循環手段を作動させ、前記第１追焚き効率よりも前記第２追焚き効率の方が小さい場合は、前記第１通常熱媒循環出力で前記熱媒循環手段を作動させる点にある。
【００１１】
上記特徴構成によれば、熱媒循環手段は、最大の出力よりも小さい第１通常熱媒循環出力で熱媒循環手段を作動させた場合の追焚き効率である第１追焚き効率と、第１通常熱媒循環出力よりも小さい第２通常熱媒循環出力で熱媒循環手段を作動させた場合の追焚き効率である第２追焚き効率とを比較する。そして第１追焚き効率よりも第２追焚き効率の方が大きい場合は、第２通常熱媒循環出力で熱媒循環手段を作動させ、第１追焚き効率よりも第２追焚き効率の方が小さい場合は、第１通常熱媒循環出力で熱媒循環手段を作動させるので、熱媒循環手段の出力を下げた方が追焚き効率が大きくなる場合は熱媒循環手段の出力が下がることになる。つまり、風呂装置全体の総合的な効率である追焚き効率を監視しながら、追焚き効率が大きくなるように熱媒循環手段の出力が変更されるので、よりエネルギー効率に優れた風呂装置を実現できる。
【００１２】
本発明に係る風呂装置の更なる特徴構成は、前記第２熱交換器から前記第１熱交換器へ送られる前記熱媒の温度である第２熱交出温度を検出する第２熱交出温度検出手段を備え、前記熱媒循環制御手段は、前記第２熱交出温度の単位時間当たりの上昇率が所定値を下回った時に前記初期追焚き期間が終了したと判断するようにした点にある。
【００１３】
追焚き処理を開始すると、当初は高い上昇率で第２熱交出温度が上昇するが、その後上昇率は徐々に減少する。これは、第２熱交換器での熱交換の状況が安定状態に近づいたことを示している。上記構成によれば、第２熱交出温度の単位時間当たりの上昇率が所定値を下回った時に初期追焚き期間が終了したと判断して熱媒循環手段の出力が最大出力から通常熱媒循環出力へ変更されるので、その際には第２熱交換器での熱交換の状況が安定状態に近づいているため、熱交換の効率が高い状態で消費電力の低減を行うことができ、エネルギー効率の高い風呂装置の実現に好適である。
【００１４】
本発明に係る風呂装置の更なる特徴構成は、前記浴槽水循環回路に前記浴槽水を循環させる浴槽水循環手段と、前記追焚き処理の開始時にあたる前記初期追焚き期間では前記浴槽水の循環流量が最大となるように前記浴槽水循環手段を最大の出力で作動させ、前記初期追焚き期間の終了後に前記浴槽水循環手段を前記最大の出力よりも小さい通常浴槽水循環出力で作動させる浴槽水循環制御手段を備えた点にある。 
【００１５】
上記構成によれば、熱媒循環制御手段に加えて浴槽水循環制御手段を備え、初期追焚き期間では浴槽水の循環流量が最大となるように浴槽水循環手段を最大の出力で作動させ、初期追焚き期間の終了後に浴槽水循環手段を最大の出力よりも小さい通常浴槽水循環出力で作動させるので、循環流量の変更による熱効率の向上と消費電力の削減をより大きくすることができ、エネルギー効率の高い風呂装置の実現にさらに好適である。
【００１６】
本発明に係る風呂装置の更なる特徴構成は、前記熱媒循環手段の消費電力と前記浴槽水循環手段の消費電力と前記燃焼式加熱装置への投入熱量との和で前記浴槽への入力熱量を除算した追焚き効率を検知する追焚き効率検知手段と、前記熱媒循環手段の出力と前記浴槽水循環手段の出力とを決定する通常循環出力決定手段とを備え、前記通常循環出力決定手段は、前記最大の出力よりも小さい第１通常熱媒循環出力で前記熱媒循環手段を作動させるとともに前記最大の出力よりも小さい第１通常浴槽水循環出力で前記浴槽水循環手段を作動させた場合の前記追焚き効率である第１追焚き効率と、前記第１通常熱媒循環出力よりも小さい第２通常熱媒循環出力で前記熱媒循環手段を作動させるとともに前記第１通常浴槽水循環出力よりも小さい第２通常浴槽水循環出力で前記浴槽水循環手段を作動させた場合の前記追焚き効率である第２追焚き効率とを比較し、前記第１追焚き効率よりも前記第２追焚き効率の方が大きい場合は、前記第２通常熱媒循環出力で前記熱媒循環手段を作動させるとともに前記第２通常浴槽水循環出力で前記浴槽水循環手段を作動させ、前記第１追焚き効率よりも前記第２追焚き効率の方が小さい場合は、前記第１通常熱媒循環出力で前記熱媒循環手段を作動させるとともに前記第１通常浴槽水循環出力で前記浴槽水循環手段を作動させる点にある。 
【００１７】
上記特徴構成によれば、通常循環出力決定手段は、最大の出力よりも小さい第１通常熱媒循環出力で熱媒循環手段を作動させるとともに最大の出力よりも小さい第１通常浴槽水循環出力で浴槽水循環手段を作動させた場合の追焚き効率である第１追焚き効率と、第１通常熱媒循環出力よりも小さい第２通常熱媒循環出力で熱媒循環手段を作動させるとともに第１通常浴槽水循環出力よりも小さい第２通常浴槽水循環出力で浴槽水循環手段を作動させた場合の追焚き効率である第２追焚き効率とを比較する。そして第１追焚き効率よりも第２追焚き効率の方が大きい場合は、第２通常熱媒循環出力で熱媒循環手段を作動させるとともに第２通常浴槽水循環手段を作動させ、第１追焚き効率よりも第２追焚き効率の方が小さい場合は、第１通常熱媒循環出力で熱媒循環手段を作動させるとともに第１通常浴槽水循環出力で浴槽水循環手段を作動させるので、熱媒循環手段と浴槽水循環手段の出力を下げた方が追焚き効率が大きくなる場合は熱媒循環手段と浴槽水循環手段の出力が下がることになる。つまり、風呂装置全体の総合的な効率である追焚き効率を監視しながら、追焚き効率が大きくなるように熱媒循環手段と浴槽水循環手段の出力が変更されるので、よりエネルギー効率に優れた風呂装置を実現できる。
【００１８】
本発明に係る風呂装置の更なる特徴構成は、前記第２熱交換器から前記第１熱交換器へ送られる前記熱媒の温度である第２熱交出温度を検出する第２熱交出温度検出手段と、前記第２熱交換器から前記浴槽へ送られる前記浴槽水の温度である浴槽入温度を検出する浴槽入温度検出手段と、前記第２熱交出温度の単位時間当たりの上昇率が所定値を下回り、かつ、前記浴槽入温度の単位時間当たりの上昇率が所定値を下回った時に前記初期追焚き期間が終了したと判断する第１循環制御手段を備える点にある。
【００１９】
追焚き処理を開始すると、当初は高い上昇率で第２熱交出温度が上昇するが、その後上昇率は徐々に減少する。これは、第２熱交換器での熱交換の状況が安定状態に近づいたことを示している。また同様に、追焚き処理の開始時に高い上昇率で浴槽入温度が上昇するが、その後上昇率は徐々に減少する。この現象も、第２熱交換器での熱交換の状況が安定状態に近づいたことを示す。上記構成によれば、第２熱交出温度の単位時間当たりの上昇率が所定値を下回り、かつ浴槽入温度の単位時間当たりの上昇率が所定値を下回ったときに初期追焚き期間が終了したと判断して、熱媒循環手段の出力が最大出力から通常熱媒循環出力へ変更され、浴槽水循環手段の出力が最大出力から通常浴槽水循環出力へ変更されるので、その際には第２熱交換器での熱交換の状況が安定状態に近づいているため、熱交換の効率が高い状態で消費電力の低減を行うことができ、エネルギー効率の高い風呂装置の実現に好適である。
【００２０】
上記目的を達成するための本発明に係る風呂装置の特徴構成は、熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備えた風呂装置において、前記浴槽水循環回路に前記浴槽水を循環させる浴槽水循環手段と、前記燃焼式加熱装置の作動状態で、前記熱媒循環回路に熱媒を循環させると共に前記浴槽水循環回路に浴槽水を循環させて浴槽水を加熱する追焚き処理を行う追焚き処理手段と、前記追焚き処理の開始時にあたる初期追焚き期間では前記浴槽水の循環流量が最大となるように前記浴槽水循環手段を最大の出力で作動させ、前記初期追焚き期間の終了後に前記浴槽水循環手段を前記最大の出力よりも小さい通常浴槽水循環出力で作動させる浴槽水循環制御手段を備え、前記熱媒循環回路に前記熱媒を循環させる熱媒循環手段と、前記熱媒循環手段の消費電力と前記浴槽水循環手段の消費電力と前記燃焼式加熱装置への投入熱量との和で前記浴槽への入力熱量を除算した追焚き効率を検知する追焚き効率検知手段とを備え、前記浴槽水循環手段は、前記最大の出力よりも小さい第１通常浴槽水循環出力で前記浴槽水循環手段を作動させた場合の前記追焚き効率である第１追焚き効率と、前記第１通常浴槽水循環出力よりも小さい第２通常浴槽水循環出力で前記浴槽水循環手段を作動させた場合の前記追焚き効率である第２追焚き効率とを比較し、前記第１追焚き効率よりも前記第２追焚き効率の方が大きい場合は、前記第２通常浴槽水循環出力で前記浴槽水循環手段を作動させ、前記第１追焚き効率よりも前記第２追焚き効率の方が小さい場合は、前記第１通常浴槽水循環出力で前記浴槽水循環手段を作動させる点にある。 
【００２１】
上記特徴構成によれば、追焚き処理の開始時にあたる初期追焚き期間では浴槽水の循環流量が最大となるように浴槽水循環手段を最大の出力で作動させ、初期追焚き期間の終了後に浴槽水循環手段を最大の出力よりも小さい通常浴槽水循環出力で作動させるので、まず初期追焚き期間において第２熱交換器の熱効率を向上させることができる。浴槽水循環手段を最大の出力で作動させることにより消費電力は増大するが、初期追焚き期間の終了後に通常浴槽水循環出力で作動させることにより消費電力を抑制できる。すなわち上記特徴構成により、熱効率の向上と消費電力の増大抑制を両立させて、全体としてエネルギー効率の高い風呂装置を実現することができる。
更に、上記特徴構成によれば、浴槽水循環手段は、最大の出力よりも小さい第１通常浴槽水循環出力で浴槽水循環手段を作動させた場合の追焚き効率である第１追焚き効率と、第１通常浴槽水循環出力よりも小さい第２通常浴槽水循環出力で浴槽水循環手段を作動させた場合の追焚き効率である第２追焚き効率とを比較する。そして第１追焚き効率よりも第２追焚き効率の方が大きい場合は、第２通常浴槽水循環出力で浴槽水循環手段を作動させ、第１追焚き効率よりも第２追焚き効率の方が小さい場合は、第１通常浴槽水循環出力で浴槽水循環手段を作動させるので、浴槽水循環手段の出力を下げた方が追焚き効率が大きくなる場合は浴槽水循環手段の出力が下がることになる。つまり、風呂装置全体の総合的な効率である追焚き効率を監視しながら、追焚き効率が大きくなるように浴槽水循環手段の出力が変更されるので、よりエネルギー効率に優れた風呂装置を実現できる。
【００２４】
上記目的を達成するための本発明に係る風呂装置の特徴構成は、熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備えた風呂装置において、前記浴槽水循環回路に前記浴槽水を循環させる浴槽水循環手段と、前記燃焼式加熱装置の作動状態で、前記熱媒循環回路に熱媒を循環させると共に前記浴槽水循環回路に浴槽水を循環させて浴槽水を加熱する追焚き処理を行う追焚き処理手段と、前記追焚き処理の開始時にあたる初期追焚き期間では前記浴槽水の循環流量が最大となるように前記浴槽水循環手段を最大の出力で作動させ、前記初期追焚き期間の終了後に前記浴槽水循環手段を前記最大の出力よりも小さい通常浴槽水循環出力で作動させる浴槽水循環制御手段を備え、前記第２熱交換器から前記浴槽へ送られる前記浴槽水の温度である浴槽入温度を検出する浴槽入温度検出手段を備え、前記浴槽水循環制御手段は、前記浴槽入温度の単位時間当たりの上昇率が所定値を下回った時に前記初期追焚き期間が終了したと判断する点にある。 
【００２５】
上記特徴構成によれば、追焚き処理の開始時にあたる初期追焚き期間では浴槽水の循環流量が最大となるように浴槽水循環手段を最大の出力で作動させ、初期追焚き期間の終了後に浴槽水循環手段を最大の出力よりも小さい通常浴槽水循環出力で作動させるので、まず初期追焚き期間において第２熱交換器の熱効率を向上させることができる。浴槽水循環手段を最大の出力で作動させることにより消費電力は増大するが、初期追焚き期間の終了後に通常浴槽水循環出力で作動させることにより消費電力を抑制できる。すなわち上記特徴構成により、熱効率の向上と消費電力の増大抑制を両立させて、全体としてエネルギー効率の高い風呂装置を実現することができる。
更に、追焚き処理を開始すると、当初は高い上昇率で第２熱交出温度が上昇するが、その後上昇率は徐々に減少する。これは、第２熱交換器での熱交換の状況が安定状態に近づいたことを示している。上記構成によれば、第２熱交出温度の単位時間当たりの上昇率が所定値を下回った時に初期追焚き期間が終了したと判断して浴槽水循環手段の出力が最大出力から通常浴槽水循環出力へ変更されるので、その際には第２熱交換器での熱交換の状況が安定状態に近づいているため、熱交換の効率が高い状態で消費電力の低減を行うことができ、エネルギー効率の高い風呂装置の実現に好適である。
上記目的を達成するための本発明に係る風呂装置の特徴構成は、熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備えた風呂装置において、前記浴槽水循環回路に前記浴槽水を循環させる浴槽水循環手段と、前記燃焼式加熱装置の作動状態で、前記熱媒循環回路に熱媒を循環させると共に前記浴槽水循環回路に浴槽水を循環させて浴槽水を加熱する追焚き処理を行う追焚き処理手段と、前記追焚き処理の開始時にあたる初期追焚き期間では前記浴槽水の循環流量が最大となるように前記浴槽水循環手段を最大の出力で作動させ、前記初期追焚き期間の終了後に前記浴槽水循環手段を前記最大の出力よりも小さい通常浴槽水循環出力で作動させる浴槽水循環制御手段を備え、前記浴槽への入力熱量を前記燃焼式加熱装置への投入熱量で除算した追焚き効率を算出する追焚き効率検知手段を備え、前記追焚き処理手段は、前記追焚き効率検知手段により検知された追焚き効率の上昇率が初期追焚き期間終了判定値を下回った時に前記初期追焚き期間が終了したと判断する第２循環制御手段を備える点にある。
上記特徴構成によれば、追焚き処理の開始時にあたる初期追焚き期間では浴槽水の循環流量が最大となるように浴槽水循環手段を最大の出力で作動させ、初期追焚き期間の終了後に浴槽水循環手段を最大の出力よりも小さい通常浴槽水循環出力で作動させるので、まず初期追焚き期間において第２熱交換器の熱効率を向上させることができる。浴槽水循環手段を最大の出力で作動させることにより消費電力は増大するが、初期追焚き期間の終了後に通常浴槽水循環出力で作動させることにより消費電力を抑制できる。すなわち上記特徴構成により、熱効率の向上と消費電力の増大抑制を両立させて、全体としてエネルギー効率の高い風呂装置を実現することができる。
更に、追焚き処理の開始当初は、燃焼式加熱装置から供給される熱が熱媒循環回路や浴槽水循環回路、熱交換器等の温度上昇に用いられてしまうため、追焚き効率は小さいが、これら機器の温度が定常状態に近づくと浴槽への入力熱量が増加して追焚き効率は急速に上昇する。その後、第２熱交換器での熱交換の状況が安定状態に近づき、追焚き効率の上昇率は減少する。上記構成によれば、追焚き効率の上昇率が初期追焚き期間終了判定値を下回った時に初期追焚き期間が終了したと判断するので、熱交換が定常状態に達していない初期追焚き期間には循環手段が最大出力で運転されることにより熱効率を向上させ、初期追焚き期間の終了後には消費電力を低減させることができるので、エネルギー効率の高い風呂装置の実現に好適である。
【００２６】
本発明に係る風呂装置の更なる特徴構成は、前記浴槽への入力熱量を前記燃焼式加熱装置への投入熱量で除算した追焚き効率を算出する追焚き効率検知手段を備え、前記追焚き処理手段は、前記追焚き効率検知手段により検知された追焚き効率の上昇率が初期追焚き期間終了判定値を下回った時に前記初期追焚き期間が終了したと判断する第２循環制御手段を備える点にある。
【００２７】
追焚き処理の開始当初は、燃焼式加熱装置から供給される熱が熱媒循環回路や浴槽水循環回路、熱交換器等の温度上昇に用いられてしまうため、追焚き効率は小さいが、これら機器の温度が定常状態に近づくと浴槽への入力熱量が増加して追焚き効率は急速に上昇する。その後、第２熱交換器での熱交換の状況が安定状態に近づき、追焚き効率の上昇率は減少する。上記構成によれば、追焚き効率の上昇率が初期追焚き期間終了判定値を下回った時に初期追焚き期間が終了したと判断するので、熱交換が定常状態に達していない初期追焚き期間には循環手段が最大出力で運転されることにより熱効率を向上させ、初期追焚き期間の終了後には消費電力を低減させることができるので、エネルギー効率の高い風呂装置の実現に好適である。
【図面の簡単な説明】
【００２８】
【図１】本発明の風呂装置の概略構成図
【図２】本発明に係る風呂装置の制御を示す説明図
【図３】本発明に係る循環出力と消費電力の関係の例を示すグラフ
【発明を実施するための形態】
【００２９】
本発明は、所謂、間接加熱方式の風呂装置において、特に、熱媒および浴槽水の循環流量を適切に制御することにより追焚き処理の効率を改善することが可能な風呂装置に関する。以下、第１実施形態として本発明の風呂装置に係る実施形態（熱媒循環手段の制御）を図面に基づいて説明する。
風呂装置１００は、暖房端末ＨＵ、ＬＵに熱を供給すると共に浴槽１０および給湯栓３３に温度調整した湯水を供給すべく、熱媒および湯水を加熱・供給可能な熱源機Ｇと、当該熱源機Ｇの運転を制御する運転制御部Ｃと、その運転制御部Ｃに各種運転指令を発するメインリモコンＲ１および浴室リモコンＲ２とを備えて構成されている。
ちなみに、メインリモコンＲ１は炊事場の近傍に設置され、浴室リモコンＲ２は浴槽１０が設置された浴室内に設けられている。
【００３０】
〔熱源機に係る構成〕
図１に示すように、熱源機Ｇは、ケーシング５１により外囲されるものであり、一般家庭用の水道管に接続された給水路Ｌ２からの水をガス燃焼式の給湯用バーナｇ１により加熱して、加熱後の湯水を給湯栓３３や浴槽１０へ供給する給湯用加熱部Ｈ１と、高温暖房端末ＨＵおよび低温暖房端末ＬＵへ循環供給する熱媒や浴槽１０の内部に貯留される浴槽水を追焚きする熱媒をガス燃焼式の熱媒加熱用バーナｇ２により加熱する熱媒加熱部Ｈ２とを備えて構成されている。ちなみに、高温暖房端末ＨＵとしては浴室暖房乾燥機が、低温暖房端末ＬＵとしては床暖房装置が設けられている。
【００３１】
図１に示すように、給湯用加熱部Ｈ１に備えられる給湯用バーナｇ１には、一般家庭用の燃料ガス（例えば、都市ガス１３Ａ）を供給する第１ガス供給路２１ａが接続されており、熱媒加熱部Ｈ２に備えられる熱媒加熱用バーナｇ２にも、燃料ガスを供給する第２ガス供給路２１ｂが接続されている。第１ガス供給路２１ａおよび第２ガス供給路２１ｂの夫々には、燃料ガスの供給を断続する開閉弁Ｖ１、Ｖ３と、燃料ガス供給量を調整する電磁式のガス比例弁Ｖ２、Ｖ４が夫々設けられている。また、給湯用加熱部Ｈ１および熱媒加熱部Ｈ２には、給湯用バーナｇ１および熱媒加熱用バーナｇ２の夫々に、燃焼用空気を供給する燃焼用ファン１２ａ、１２ｂが設けられている。
なお図示は省略するが、給湯用バーナｇ１および熱媒加熱用バーナｇ２の近傍には、点火用のイグナイタおよび着火を検出するフレームロッドが設けられている。
【００３２】
給湯用加熱部Ｈ１および熱媒加熱部Ｈ２には、バーナｇ１、ｇ２の燃焼排ガスの顕熱を主に回収する主熱交換器ＥＸ１、ＥＸ３と、潜熱を主に回収する副熱交換器ＥＸ２、ＥＸ４とを備えて構成されている。ここで、主熱交換器ＥＸ１、ＥＸ３と副熱交換器ＥＸ２、ＥＸ４とは、給湯用バーナｇ１および熱媒加熱用バーナｇ２から排気路２２へ向かう燃焼排ガスの流動方向において、副熱交換器ＥＸ２、ＥＸ４が主熱交換器ＥＸ１、ＥＸ３よりも下流側に位置する状態で配設されている。なお、本発明にあっては、熱媒加熱部Ｈ２に設けられる主熱交換器ＥＸ３と副熱交換器ＥＸ４とが第１熱交換器として機能する。
これにより、給湯用加熱部Ｈ１においては、湯水が、副熱交換器ＥＸ２にて主として給湯用バーナｇ１の燃焼排ガスの潜熱により加熱された後、主熱交換器ＥＸ１にて主として給湯用バーナｇ１の燃焼排ガスの顕熱により加熱される。また、熱媒加熱部Ｈ２においては、熱媒が、副熱交換器ＥＸ４にて主として熱媒加熱用バーナｇ２の燃焼排ガスの潜熱により加熱された後、主熱交換器ＥＸ３にて主として熱媒加熱用バーナｇ２の燃焼排ガスの顕熱により加熱される。
【００３３】
給湯用加熱部Ｈ１の副熱交換器ＥＸ２および熱媒加熱部Ｈ２の副熱交換器ＥＸ４からは、燃焼生成水である酸性の凝縮水、即ち、ドレンが生成するが、当該ドレンはドレンパン２３に集められ中和器２４にて中和された後、ドレンタンク２５に貯留されるように構成されている。ドレンタンク２５には、ドレンの貯留量が上限貯留量以上であることを検出するドレンセンサＳ１が設けられおり、当該ドレンセンサＳ１にてドレンの貯留量が上限貯留量以上であることが検出されると、ドレン排水ポンプＰ３が作動し、ドレンタンク２５に貯留されているドレンが、排水管Ｌ１を介して、浴室の床面に設けられた排水口１３から外部に排出されるように構成されている。ちなみに、排水管Ｌ１のうち熱源機Ｇの外部（ケーシング５１の外側）に位置する部分は、後述する浴槽戻り路Ｌ７のうち、熱源機Ｇの外側に配設される浴槽戻り外管Ｌ７ｂの内部に配設されている。
【００３４】
〔給湯に係る構成〕
給水路Ｌ２が、給湯用加熱部Ｈ１の副熱交換器ＥＸ２の入口に接続されている。一端に給湯栓３３を有する給湯路Ｌ４の他端が、給湯用加熱部Ｈ１における主熱交換器ＥＸ１の出口に接続されている。これにより、給水路Ｌ２から供給される湯水は、副熱交換器ＥＸ２および主熱交換器ＥＸ１にて順に加熱された後、給湯路Ｌ４を介して給湯栓３３から供給される。
【００３５】
給水路Ｌ２には、給水温度を検出する給水サーミスタＳ７と給水流量を検出する流量センサＳ８とが設けられている。給水路Ｌ２における給水サーミスタＳ７および流量センサＳ８よりも下流側の箇所が、主熱交換器ＥＸ１および副熱交換器ＥＸ２を迂回する給水バイパス路Ｌ３にて、給湯路Ｌ４に接続されている。
給湯路Ｌ４には、給水バイパス路Ｌ３の接続箇所よりも上流側に、主熱交換器ＥＸ１からの湯水温度を検出する出湯サーミスタＳ４が設けられている。給湯路Ｌ４における給水バイパス路Ｌ３の接続箇所よりも下流側には、上流側から順に、給湯としての湯水温度を検出する給湯サーミスタＳ６、湯水流量を調整可能な比例弁Ｖ９、一般給湯の割り込みを検出する割り込み検出用水量センサＳ９が設けられている。
また、給湯路Ｌ４と給水バイパス路Ｌ３との接続箇所には、主熱交換器ＥＸ１からの湯水と給水バイパス路Ｌ３からの湯水との混合比を調整可能なミキシング弁Ｖ１１が設けられている。
以上より、各サーミスタおよび流量センサの出力に基づいて、給水バイパス路Ｌ３を通流する流量が調整される形態で、給湯温度がメインリモコンＲ１にて設定される目標給湯温度に調整され、給湯栓３３から給湯される。
【００３６】
〔熱媒循環に係る構成〕
熱媒循環回路は、熱媒加熱部Ｈ２の主熱交換器ＥＸ３の出口から流出した熱媒を、熱媒と浴槽水とを熱交換する追焚き熱交換器ＥＸ５（第２熱交換器の一例）に通過させ熱媒加熱部Ｈ２の副熱交換器ＥＸ４の入口へ戻す追焚き回路Ｃ１と、熱媒加熱部Ｈ２の主熱交換器ＥＸ３の出口から流出した熱媒を高温暖房端末ＨＵを通過させ熱媒加熱部Ｈ２の副熱交換器ＥＸ４の入口へ戻す高温暖房回路Ｃ２と、熱媒加熱部Ｈ２の主熱交換器ＥＸ３の出口から流出した熱媒を追焚き熱交換器ＥＸ５と高温暖房端末ＨＵとをバイパス状態で熱媒加熱部Ｈ２の副熱交換器ＥＸ４の出口へ導く熱媒バイパス路Ｌ９と、熱媒加熱部Ｈ２の主熱交換器ＥＸ３の出口から流出した熱媒を熱媒バイパス路Ｌ９を介して低温暖房端末ＬＵを通過させ熱媒加熱部Ｈ２の副熱交換器ＥＸ４の入口へ戻す低温暖房回路Ｃ３とを備えている。ここで、追焚き回路Ｃ１は、熱媒加熱部Ｈ２の主熱交換器ＥＸ３の出口から追焚き熱交換器ＥＸ５までに配設される追焚き往き路Ｌ１１と、追焚き熱交換器ＥＸ５から熱媒加熱部Ｈ２の副熱交換器ＥＸ４の入口までに配設される追焚き戻り路Ｌ１０とを備えている。
【００３７】
熱媒バイパス路Ｌ９には、熱媒のバイパス流量を調整自在なバイパス用熱動弁Ｖ１２が設けられ、追焚き回路Ｃ１の追焚き往き路Ｌ１１には、追焚き熱交換器ＥＸ５を通過する熱媒流量を調整可能な追焚き用熱動弁Ｖ８が設けられ、高温暖房回路Ｃ２には、高温暖房端末ＨＵを通過する熱媒流量を調整可能な高温暖房用熱動弁Ｖ１０が設けられ、低温暖房回路Ｃ３には、低温暖房端末ＬＵを通過する熱媒流量を調整可能な低温暖房用熱動弁Ｖ１３が設けられている。
また、熱媒加熱部Ｈ２の副熱交換器ＥＸ４の出口と主熱交換器ＥＸ３の入口との間には、熱媒を副熱交換器ＥＸ４から主熱交換器ＥＸ３の側へ圧送する熱媒循環ポンプＰ２が設けられている。
さらに、熱媒加熱部Ｈ２の主熱交換器ＥＸ３の出口には、当該出口から流出する湯水温度を検出する熱媒サーミスタＳ３が設けられ、追焚き熱交換器ＥＸ５の出口には、当該出口から流出する湯水温度を検出する追焚き用熱交出サーミスタＳ１３が設けられると共に、図示は省略するが低温暖房端末ＬＵおよび高温暖房端末ＨＵの内部には、自身を通過した熱媒の温度を検出する高温暖房サーミスタおよび低温暖房サーミスタが夫々備えられている。
なお、熱媒加熱部Ｈ２の副熱交換器ＥＸ４への入口には、熱媒の膨張を吸収可能な膨張タンク５０が設けられている。
【００３８】
〔追焚きに係る構成〕
追焚き熱交換器ＥＸ５の湯水出口と浴槽１０の側壁部下方側に装着された循環アダプタ１１とが、浴槽往き路Ｌ８にて接続され、循環アダプタ１１と追焚き熱交換器ＥＸ５の湯水入口とが、浴槽戻り路Ｌ７にて接続され、その浴槽戻り路Ｌ７に、浴槽１０の湯水を吸引して追焚き熱交換器ＥＸ５へ送出する浴槽水循環ポンプＰ１が設けられている。
説明を追加すると、浴槽往き路Ｌ８が、熱源機Ｇの内部に位置する浴槽往き内管Ｌ８ａと、熱源機Ｇから外部へ延出されて循環アダプタ１１の往き用接続部１１ａに接続される浴槽往き外管Ｌ８ｂとから構成されている。また、浴槽戻り路Ｌ７が、熱源機Ｇの内部に位置する浴槽戻り内管Ｌ７ａと、熱源機Ｇから外部へ延出されて、循環アダプタ１１の戻り用接続部１１ｂに接続される浴槽戻り外管Ｌ７ｂとから構成されている。そして、浴槽戻り路Ｌ７と浴槽往き路Ｌ８とで本発明の浴槽水循環回路を構成する。
【００３９】
浴槽戻り路Ｌ７には、上流側から順に、浴槽戻り路Ｌ７の内部の湯水の圧力を検出することによって浴槽１０内の水位を検出する水位センサＳ１０、浴槽１０から戻る浴槽水の温度を検出する浴槽戻りサーミスタＳ２、浴槽戻り路Ｌ７を開閉する電磁式の開閉弁Ｖ７、上述した浴槽水循環ポンプＰ１、および水流スイッチ４１が設けられている。
また、浴槽往き路Ｌ８には、浴槽１０に供給される湯水の温度を検出する浴槽往きサーミスタＳ５が設けられている。
【００４０】
〔湯張りに係る構成〕
給湯路Ｌ４における比例弁Ｖ９と割り込み検出用水量センサＳ９との間の箇所から、給湯路Ｌ４からの湯水を浴槽１０へ供給するための湯張り路Ｌ５が分岐されて、その湯張り路Ｌ５が、浴槽戻り路Ｌ７における浴槽水循環ポンプＰ１と水流スイッチ４１との間に接続されている。当該湯張り路Ｌ５には、上流側から順に、湯張り路Ｌ５を開閉する電磁式の開閉弁Ｖ５と、湯張り路Ｌ５に連通する空気層形成用ホッパ４０と、逆止弁４２とが設けられている。
空気層形成用ホッパ４０には、湯水を排水する排水路Ｌ６と、当該排水路Ｌ６を開閉する電磁式の排水弁Ｖ６とが設けられ、排水路Ｌ６の下流側端部が浴槽戻り路Ｌ７における開閉弁Ｖ７と浴槽水循環ポンプＰ１との間に接続されている。
従って、開閉弁Ｖ５を開弁すると、給湯用加熱部Ｈ１にて加熱され湯張り路Ｌ５を介して供給される湯水が、浴槽戻り路Ｌ７に供給され、浴槽戻り路Ｌ７に供給された湯水が浴槽１０側と追焚き熱交換器ＥＸ５側の両側に向けて分流する形態で供給されることになる。即ち、湯張り路Ｌ５を介して供給される湯水は、浴槽往き路Ｌ８および浴槽戻り路Ｌ７の両方を介して浴槽１０に供給される。
【００４１】
〔熱源機の運転制御〕
熱源機Ｇは、上述した機器類を装備するものであって、上述の説明から明らかなように、加熱した湯水を給湯栓３３に供給する給湯処理、加熱した湯水を浴槽１０へ供給する湯張り処理、加熱した熱媒を暖房端末ＨＵ、ＬＵへ循環供給する端末加熱処理、および浴槽１０内の浴槽水を加熱する追焚き処理、並びにドレン排水処理を行うように構成されている。
【００４２】
即ち、運転制御部Ｃが、後述する如く、メインリモコンＲ１や浴室リモコンＲ２からの指令情報、およびケーシング５１の内部に装備したセンサ類の検出情報に基づいて、ケーシング５１の内部に装備した機器類を作動させて、給湯処理による給湯運転、湯張り処理等による自動湯張り運転、自動湯張り運転に続いて行う保温運転、浴槽１０に追加で湯張り給湯する足し湯運転、端末加熱処理による高温暖房運転・低温暖房運転、および追焚き処理による手動追焚き運転、並びに、ドレン排水処理によるドレン排水運転を実行するように構成されている。
【００４３】
〔リモコンに係る構成〕
メインリモコンＲ１および浴室リモコンＲ２は、同様に構成されるものであり、以下、メインリモコンＲ１を代表にして説明する。
図１に示すように、メインリモコンＲ１には、運転の開始と停止を指令する運転スイッチＳｗ１、自動湯張り運転指令を指令する風呂自動スイッチＳｗ２、給湯温度を設定する給湯温度設定スイッチＳｗ３、設定湯張り温度としての目標湯張り温度を設定する浴槽温度設定スイッチＳｗ４、浴槽１０の浴槽水の目標水位を設定する水位設定スイッチＳｗ５、浴槽１０に追加で湯張り給湯する足し湯スイッチＳｗ６、手動追焚き運転を指令する追焚きスイッチＳｗ７、設定温度等の各種情報を表示する表示部８１、暖房運転の開始を指令する暖房運転スイッチＳｗ８、および湯張りが終了したこと等を報知する報知装置８２等が設けられている。
【００４４】
〔運転制御の詳細〕
運転制御部Ｃは、運転スイッチＳｗ１が操作されると制御可能な状態になり、給湯栓３３が開操作されると給湯栓３３から湯水を給湯する給湯運転を実行する。
また、運転制御部Ｃは、風呂自動スイッチＳｗ２がオン操作されて湯張り運転指令が指令されると、浴槽１０内に湯を供給して設定湯張り温度の湯張りを完了する自動湯張り運転を実行するように構成されている。
【００４５】
つまり運転制御部Ｃは、湯張り運転指令が指令されると、浴槽１０の浴槽水の温度が目標湯張り温度になり且つ浴槽１０の浴槽水の水位が目標水位になるように湯張り処理を行う、自動湯張り運転を実行するように構成されている。
【００４６】
また運転制御部Ｃは、自動湯張り運転を終了した後、風呂自動スイッチＳｗ２のオフにより湯張り運転指令が解除されるまでの間は、浴槽１０内の浴槽水の温度が設定湯張り温度になり且つ浴槽１０内の浴槽水の水位が目標水位になる湯張り状態を維持する保温運転を実行するように構成されている。
【００４７】
また運転制御部Ｃは、保温運転の実行中に追焚きスイッチＳｗ７が操作されて追焚き運転指令が指令された場合や、風呂自動スイッチＳｗ２のオフ操作により湯張り運転指令が解除され、すなわち保温運転を停止した状態において、追焚きスイッチＳｗ７が操作されて追焚き運転指令が指令された場合には、追焚き運転を実行し、また、足し湯スイッチＳｗ６が操作されると足し湯運転を実行するように構成されている。
【００４８】
以下、自動湯張り運転、保温運転および追焚き運転について説明を加える。まず、これらの運転に先立って行われる判定処理について説明する。
【００４９】
〔判定処理〕
運転制御部Ｃは、自動湯張り運転、保温運転、および追焚き運転を実行する際に、次に述べる判定処理を実行して、水流スイッチ４１のオンオフ情報および水位センサＳ１０の検出水位に基づく浴槽１０内の浴槽水の水位の確定や、浴槽戻りサ−ミスタＳ２の検出温度に基づく浴槽１０内の浴槽水の温度の確定を行うように構成されている。
【００５０】
すなわち、運転制御部Ｃは、判定処理では、循環判定用設定時間の間、浴槽水循環ポンプＰ１を作動させて、その浴槽水循環ポンプＰ１の作動中において、水流スイッチ４１や浴槽戻りサ−ミスタＳ２の検出情報を読み込み、水流スイッチ４１が水流を検出することを条件として、浴槽水循環ポンプＰ１を停止させた後、待機用設定時間が経過すると、水位センサＳ１０の検出情報を読み込むように構成されている。
【００５１】
〔自動湯張り運転（湯張り処理、追焚き処理）〕
運転制御部Ｃは、風呂自動スイッチＳｗ２がオン操作されると上述の判定処理を行い、判定処理にて確定した浴槽１０の湯水の水位が目標水位よりも低いときに、自動湯張り運転を実行するように構成されている。
自動湯張り運転では、運転制御部Ｃは、浴槽１０に湯を供給する湯張り処理と上述の判定処理を順に実行し、水位センサＳ１０の検出水位が目標水位以上になると湯張り処理を停止して、浴槽水の温度が目標湯張り温度になるように追焚きする追焚き処理を実行した後、自動湯張り運転を終了する。
【００５２】
（湯張り処理）
運転制御部Ｃは、湯張り処理では、開閉弁Ｖ５を開弁し、且つ、上述の給湯処理と同様に給湯用バーナｇ１に点火し、浴槽温度設定スイッチＳｗ４にて設定された目標湯張り温度、流量センサＳ８の検出水量、給水サ−ミスタＳ７の検出水温および給湯サ−ミスタＳ６の検出温度などに基づいて、給湯サ−ミスタＳ６の検出温度が目標湯張り温度になるように、ガス比例弁Ｖ２の開度およびミキシング弁Ｖ１１の開度を調節する。そして湯張り処理の停止の際には、開閉弁Ｖ５を閉弁し、給湯用バーナｇ１の燃焼を停止するように構成されている。
【００５３】
（追焚き処理）
また運転制御部Ｃは、追焚き処理では、追焚き用熱動弁Ｖ８を開弁した状態で浴槽水循環ポンプＰ１および熱媒循環ポンプＰ２を作動させて、浴槽１０内の湯水を浴槽戻り路Ｌ７および浴槽往き路Ｌ８を通して循環させ、それに併せて、熱媒加熱部Ｈ２における燃焼用ファン１２ａを駆動した後、開閉弁Ｖ１を開弁してイグナイタにより熱媒加熱用バーナｇ２に点火し、熱媒サーミスタＳ３の検出温度が追焚き用設定熱媒温度（例えば８０℃）になるように、ガス比例弁Ｖ４の開度を調節する。運転制御部Ｃにおいて、この追焚き処理を実行する機能部位を追焚き処理手段Ｍ１と記載している。
なお本実施形態では追焚き処理において、第１追焚き処理と第２追焚き処理のいずれを行うかを決定する選択処理と、第２追焚き処理を行う際の熱媒の温度を決定する熱媒温度決定処理、追焚き時間を変更・決定する追焚き時間決定処理が行われる。これらの処理については後述する。
【００５４】
そして、浴槽戻りサ−ミスタＳ２の検出温度が目標湯張り温度以上になると、運転制御部Ｃは、開閉弁Ｖ３を閉弁させて熱媒加熱用バーナｇ２の燃焼を停止させ、燃焼用ファン１２ａを停止させて追焚き処理を終了する。
【００５５】
〔保温運転〕
運転制御部Ｃは、自動湯張り運転を終了した後において風呂自動スイッチＳｗ２がオン状態になっている間は、保温運転を実行する。すなわち、追焚き運転周期が経過する毎に、判定処理を実行して、浴槽１０の湯水の温度および水位を検出する。
【００５６】
判定処理を実行した結果、浴槽１０の湯水の水位が目標水位よりも低いときは、水位センサＳ１０の検出水位が通常用目標水位以上になるまで湯張り処理と判定処理を交互に繰り返し実行し、検出水位が目標水位以上になったとき、浴槽戻りサ−ミスタＳ２の検出温度が目標湯張り温度よりも低い場合は、浴槽戻りサ−ミスタＳ２の検出温度が目標湯張り温度以上になるまで追焚き処理を実行する。
【００５７】
判定処理を実行した結果、浴槽１０の湯水の水位が目標水位以上で且つ浴槽１０の湯水の温度が目標湯張り温度よりも低いときは、浴槽戻りサ−ミスタＳ２の検出温度が目標湯張り温度以上になるまで追焚き処理を実行する。また、判定処理を実行した結果、浴槽１０の湯水の水位が目標水位以上で且つ浴槽１０の湯水の温度が目標湯張り温度以上のときは、特別な処理を行わずに待機する。
【００５８】
〔手動追焚き運転〕
運転制御部Ｃは、追焚きスイッチＳｗ７が操作されると、上述した判定処理を行い、浴槽戻りサ−ミスタＳ２の検出温度を読み込む。
【００５９】
浴槽戻りサ−ミスタＳ２の検出温度が目標湯張り温度よりも低い場合は、上述した追焚き処理を行う。すなわち運転制御部Ｃは、追焚き用熱動弁Ｖ８を開弁した状態で熱媒循環ポンプＰ２および浴槽水循環ポンプＰ１を作動させて、浴槽１０内の湯水を浴槽戻り路Ｌ７および浴槽往き路Ｌ８を通して循環させ、それに併せて、熱媒加熱部Ｈ２における燃焼用ファン１２ａを駆動した後、開閉弁Ｖ３を開弁してイグナイタにより熱媒加熱用バーナｇ２を点火する。そして、熱媒サーミスタＳ３の検出温度が追焚き用設定熱媒温度（例えば８０℃）になるように、ガス比例弁Ｖ４の開度を調節することにより、浴槽水を加熱する。
【００６０】
浴槽戻りサ−ミスタＳ２の検出温度が目標湯張り温度以上になると、開閉弁Ｖ３を閉弁させて熱媒加熱用バーナｇ２の燃焼を停止させ、燃焼用ファン１２ａを停止させて手動追焚き運転を終了する。
【００６１】
以上、説明したように、本願に係る風呂装置は、自動湯張り運転、保温運転、および手動追焚き運転が可能となっており、これらの運転において追焚き処理が行われる。
第１実施形態の追焚き処理においては、追焚き処理の開始時にあたる初期追焚き期間では熱媒循環ポンプＰ２（熱媒循環手段）を最大の出力で作動させ、初期追焚き期間の終了後には通常熱媒循環出力で作動させる制御が行われる。
【００６２】
〔追焚き処理手段の詳細〕
以下、運転制御部Ｃに備えられる、本発明の各特長手段Ｍ１〜Ｍ６、Ｍｍの構成およびその働きについて、図２に基づいて説明する。図２は運転制御部Ｃの機能構成を示す機能構成図である。
【００６３】
図２に示すように、運転制御部Ｃには、追焚き処理において熱源機Ｇの各構成を制御する追焚き制御手段Ｍ２の他に、循環制御手段Ｍ３、追焚き効率検知手段Ｍ４、消費電力検知手段Ｍ５、通常循環出力決定手段Ｍ６、が備えられ、これらが追焚き処理手段Ｍ１を構成している。
また運転制御部Ｃには、追焚き処理手段Ｍ１で適宜使用される情報を記憶した記憶手段Ｍｍが備えられており、この記憶手段Ｍｍには、浴槽水循環ポンプＰ１に関する、運転時に用いられる最大出力ｑ１ｍａｘおよび出力ｑ１と消費電力Ｗ１の関係（Ｗ１＝ｆ（ｑ１））を示す情報Ｍｍ１と、熱媒循環ポンプＰ２に関する、運転時に用いられる最大出力ｑ２ｍａｘおよび出力ｑ２と消費電力Ｗ２の関係（Ｗ２＝ｆ（ｑ２））を示す情報Ｍｍ２とが記憶情報として含まれている。
【００６４】
〔追焚き制御手段〕
追焚き制御手段Ｍ２は、追焚き処理を行う旨の指令を受け付けると、追焚き用熱動弁Ｖ８を開弁した状態で熱媒循環ポンプＰ２を作動させることにより、主熱交換器ＥＸ３および副熱交換器ＥＸ４にて加熱された熱媒を追焚き熱交換器ＥＸ５に循環供給する。そしてその状態において、浴槽水循環ポンプＰ１を作動させることにより、浴槽１０に貯留された浴槽水を浴槽戻り路Ｌ７および浴槽往き路Ｌ８を通して追焚き熱交換器ＥＸ５に循環供給して、追焚き熱交換器ＥＸ５にて加熱する。浴槽水循環ポンプＰ１および熱媒循環ポンプＰ２の出力（すなわち熱媒および浴槽水の循環流量）は、後述する循環制御手段Ｍ３により制御される。
【００６５】
これに併せて追焚き制御手段Ｍ２は、熱媒加熱部Ｈ２における燃焼用ファン１２ａを駆動した後、開閉弁Ｖ１を開弁してイグナイタにより熱媒加熱用バーナｇ２に点火し、熱媒サーミスタＳ３の検出温度に基づいてガス比例弁Ｖ４の開度を調節することにより、熱媒の温度を追焚き用設定熱媒温度になるように制御する。
【００６６】
〔消費電力検知手段〕
消費電力検知手段Ｍ５は、浴槽水循環ポンプＰ１および熱媒循環ポンプＰ２の消費電力を検知可能に構成されている。具体的には、浴槽水循環ポンプＰ１の消費電力は、情報Ｍｍ１（浴槽水循環ポンプＰ１に関する情報）を参照し、後述する循環制御手段Ｍ３が決定する浴槽水循環ポンプＰ１の出力に基づいて求められる。同様に、熱媒循環ポンプＰ２の消費電力は、情報Ｍｍ２（熱媒循環ポンプＰ２に関する情報）を参照し、後述する循環制御手段が決定する熱媒循環ポンプＰ２の出力に基づいて求められる。検知された消費電力は、記憶手段Ｍｍに記憶される。なお各ポンプの消費電力は、各ポンプに電力計を設けて直接検出するように構成してもよい。
【００６７】
図３は、情報Ｍｍ１に示される浴槽水循環ポンプＰ１における出力ｑ１と消費電力Ｗ１の関係（Ｗ１＝ｆ（ｑ１））の例と、情報Ｍｍ２に示される熱媒循環ポンプＰ２における出力ｑ２と消費電力Ｗ２の関係（Ｗ２＝ｇ（ｑ２））の例とを図示したものである。循環ポンプの消費電力（縦軸）は、出力（横軸）に対して単調増加を示す場合が多く、図３の例では出力の２乗に比例して消費電力が増加する。従って、追焚き処理の開始時にあたる初期追焚き期間で熱媒循環ポンプＰ２（あるいは浴槽水循環ポンプＰ１）を最大の出力で作動させ、初期追焚き期間の終了後には、最大出力よりも小さい通常熱媒循環出力で作動させることにより、各ポンプでの消費電力を削減し風呂装置全体のエネルギー効率を高めることができる。
【００６８】
〔追焚き効率検知手段〕
追焚き効率検知手段Ｍ４は、熱媒循環ポンプＰ２の消費電力Ｗ２と浴槽水循環ポンプＰ１の消費電力Ｗ１と熱媒加熱部Ｈ２への投入熱量Ｑとの和で浴槽１０への入力熱量Ｓを除算した追焚き効率ηを検知するよう構成されている。すなわち、追焚き効率ηは以下の式で計算される。
追焚き効率η＝入力熱量Ｓ／（消費電力Ｗ１＋消費電力Ｗ２＋投入熱量Ｑ）
浴槽１０への入力熱量Ｓは、浴槽往きサーミスタＳ５により検出される浴槽水往き温度と、浴槽戻りサーミスタＳ２により検出される浴槽水戻り温度との差に、浴槽水の循環流量および比熱を乗算することで算出される。熱媒加熱部Ｈ２への投入熱量Ｑは、熱媒加熱用バーナｇ２への燃料ガス供給量を調節するガス比例弁Ｖ４の開度から求められる。そして、追焚き効率検知手段Ｍ４により、上述の入力熱量Ｓを上述の消費電力Ｗ１、消費電力Ｗ２および投入熱量Ｑの和で除算することによって、刻々変化する効率としての追焚き効率η（瞬時効率）が検出され、記憶手段Ｍｍに記憶される。
【００６９】
〔循環制御手段〕
循環制御手段Ｍ３は、熱媒循環ポンプＰ２の出力を制御することにより、追焚き回路Ｃ１（熱媒循環回路）を通流する熱媒の流量を制御する。具体的には、追焚き処理の開始時にあたる初期追焚き期間では熱媒の循環流量が最大となるように熱媒循環ポンプＰ２を最大の出力で作動させ、初期追焚き期間の終了後に熱媒循環ポンプＰ２を最大の出力よりも小さい通常熱媒循環出力で作動させる。以下、追焚き処理の開始から終了までの動作について説明する。
【００７０】
追焚き処理の開始時、循環制御手段Ｍ３は熱媒循環ポンプＰ２を最大出力ｑ２ｍａｘで運転させる。そして追焚き用熱交出サーミスタＳ１３で検出される、追焚き熱交換器ＥＸ５から副熱交換器ＥＸ４へ送られる熱媒の温度（第２熱交出温度）を監視して、熱媒の温度の単位時間当たりの上昇率を都度算出する。
当該上昇率が記憶手段Ｍｍに記憶された閾値を下回った時、初期追焚き期間が終了したと判断して、以下に述べる通常循環出力決定手段Ｍ６による循環出力の調整動作に移行する。なお、追焚き用熱交出サーミスタＳ１３が本発明の第２熱交出温度検出手段として動作する。
【００７１】
初期追焚き期間が終了すると、通常循環出力決定手段Ｍ６と循環制御手段Ｍ３は、熱媒循環ポンプＰ２を最大出力ｑ２ｍａｘに対して予め設定された減少幅（例えば、１０％）だけ減少させた出力（通常熱媒循環出力）で作動させる。そして以下のプロセスにより、追焚き効率ηを監視しながら、追焚き効率ηが最大となるように熱媒循環ポンプＰ２の出力を徐々に減少させる。
【００７２】
（１）予め設定された所定期間（例えば、１５秒）の間、熱媒循環ポンプＰ２を現在の出力（第１通常熱媒循環出力）で作動させる。そして、所定期間が終了した時点の追焚き効率ηを第１追焚き効率η１として記憶手段Ｍｍに記憶させる。
【００７３】
（２）熱媒循環ポンプＰ２の出力を、第１通常熱媒循環出力より予め設定された減少幅（例えば、５％）だけ減少させた出力（第２通常熱媒循環出力）に変更し、予め設定された所定期間（例えば、１５秒）の間作動させる。そして、所定期間が終了した時点の追焚き効率ηを第２追焚き効率η２として記憶手段Ｍｍに記憶させる。
【００７４】
（３）記憶手段Ｍｍに記憶された第１追焚き効率η１と第２追焚き効率η２とを比較する。第２追焚き効率η２の方が大きい場合は、第２通常熱媒循環出力で運転を継続する旨決定し、その出力で熱媒循環ポンプＰ２を作動させる。
第１追焚き効率η１の方が大きい場合は、第１通常熱媒循環出力に戻して運転を継続する旨決定し、その出力で熱媒循環ポンプＰ２を作動させる。
【００７５】
（４）予め設定した所定期間（例えば、１５秒）の間、（３）で決定した出力で熱媒循環ポンプＰ２を作動させたあと、（１）のプロセスに戻る。
【００７６】
以上説明した第１実施形態では、熱媒循環ポンプＰ２が本発明の熱媒循環手段として、循環制御手段Ｍ３および通常循環出力決定手段が本発明の熱媒循環制御手段として、消費電力検知手段Ｍ５が本発明の熱媒循環消費電力検知手段として動作する。
【００７７】
（第２実施形態）
上述の第１実施形態では、熱媒循環ポンプＰ２の出力制御による追焚き処理の効率向上が行われたが、以下に説明する第２実施形態では、熱媒循環ポンプＰ２と浴槽水循環ポンプＰ１の両方が制御される。なお、風呂装置１００の構成および制御の大部分は上述の第１実施形態と同一のため記載を省略し、循環制御手段Ｍ３で行われる処理について第１実施形態と異なる点を説明する。
【００７８】
〔循環制御手段〕
循環制御手段Ｍ３は、熱媒循環ポンプＰ２の出力を制御することにより、追焚き回路Ｃ１（熱媒循環回路）を通流する熱媒の流量を制御し、浴槽水循環ポンプＰ１の出力を制御することにより、浴槽戻り路Ｌ７および浴槽往き路Ｌ８（浴槽水循環回路）を通流する浴槽水の流量を制御する。具体的には、追焚き処理の開始時にあたる初期追焚き期間では熱媒および浴槽水の循環流量が最大となるように熱媒循環ポンプＰ２および浴槽水循環ポンプＰ１を最大の出力で作動させ、初期追焚き期間の終了後に熱媒循環ポンプＰ２および浴槽水循環ポンプＰ１を最大の出力よりも小さい通常熱媒循環出力で作動させる。以下、追焚き処理の開始から終了までの動作について説明する。
【００７９】
追焚き処理の開始時、循環制御手段Ｍ３は熱媒循環ポンプＰ２を最大出力ｑ２ｍａｘで運転させ、浴槽水循環ポンプＰ１をｑ１ｍａｘで運転させる。そして追焚き用熱交出サーミスタＳ１３で検出される、追焚き熱交換器ＥＸ５から副熱交換器ＥＸ４へ送られる熱媒の温度（第２熱交出温度）を監視して、熱媒の温度の単位時間当たりの上昇率を都度算出する。また、浴槽往きサーミスタＳ５で検出される、追焚き熱交換器ＥＸ５から浴槽１０へ送られる浴槽水の温度（浴槽入温度）を監視して、浴槽水の温度の単位時間当たりの上昇率を都度算出する。
熱媒温度の上昇率が記憶手段Ｍｍに記憶された閾値を下回り、かつ、浴槽水温度の上昇率が記憶手段Ｍｍに記憶された閾値を下回った時、初期追焚き期間が終了したと判断して、以下に述べる通常循環出力決定手段Ｍ６による循環出力の調整動作に移行する。なお、追焚き用熱交出サーミスタＳ１３が本発明の第２熱交出温度検出手段として動作し、浴槽往きサーミスタＳ５が本発明の浴槽入温度検出手段として動作する。
【００８０】
初期追焚き期間が終了すると、通常循環出力決定手段Ｍ６と循環制御手段Ｍ３は、熱媒循環ポンプＰ２を最大出力ｑ２ｍａｘに対して予め設定された減少幅（例えば、１０％）だけ減少させた出力（通常熱媒循環出力）で作動させ、浴槽水循環ポンプＰ１を最大出力ｑ１ｍａｘに対して予め設定された減少幅（例えば、１０％）だけ減少させた出力（通常浴槽水循環出力）で作動させる。そして以下のプロセスにより、追焚き効率ηを監視しながら、追焚き効率ηが最大となるように熱媒循環ポンプＰ２および浴槽水循環ポンプＰ１の出力を徐々に減少させる。
【００８１】
（１）予め設定された所定期間（例えば、１５秒）の間、熱媒循環ポンプＰ２を現在の出力（第１通常熱媒循環出力）で作動させ、浴槽水循環ポンプＰ１を現在の出力（第１通常浴槽水循環出力）で作動させる。そして、所定期間が終了した時点の追焚き効率ηを第１追焚き効率η１として記憶手段Ｍｍに記憶させる。
【００８２】
（２）熱媒循環ポンプＰ２の出力を、第１通常熱媒循環出力より予め設定された減少幅（例えば、５％）だけ減少させた出力（第２通常熱媒循環出力）に変更する。浴槽水循環ポンプＰ１の出力を、第１通常浴槽水循環出力より予め設定された減少幅（例えば、５％）だけ減少させた出力（第２通常浴槽水循環出力）に変更する。そして変更した出力にて、予め設定された所定期間（例えば、１５秒）の間、熱媒循環ポンプＰ２と浴槽水循環ポンプＰ１とを作動させる。そして、所定期間が終了した時点の追焚き効率ηを第２追焚き効率η２として記憶手段Ｍｍに記憶させる。
【００８３】
（３）記憶手段Ｍｍに記憶された第１追焚き効率η１と第２追焚き効率η２とを比較する。第２追焚き効率η２の方が大きい場合は、第２通常熱媒循環出力および第２通常浴槽水循環出力で運転を継続する旨決定し、その出力で熱媒循環ポンプＰ２および浴槽水循環ポンプＰ１を作動させる。
第１追焚き効率η１の方が大きい場合は、第１通常熱媒循環出力および第１通常浴槽水循環出力に戻して運転を継続する旨決定し、その出力で熱媒循環ポンプＰ２および浴槽水循環ポンプＰ１を作動させる。
【００８４】
（４）予め設定した所定期間（例えば、１５秒）の間、（３）で決定した出力で熱媒循環ポンプＰ２および浴槽水循環ポンプＰ１を作動させたあと、（１）のプロセスに戻る。
【００８５】
以上説明した第２実施形態では、熱媒循環ポンプＰ２が本発明の熱媒循環手段として、浴槽水循環ポンプＰ１が本発明の浴槽水循環手段として、循環制御手段Ｍ３が本発明の熱媒循環制御手段、浴槽水循環制御手段および第１循環制御手段として、通常循環出力決定手段Ｍ６が本発明の通常循環出力決定手段として、消費電力検知手段Ｍ５が本発明の熱媒循環消費電力検知手段と浴槽水循環消費電力検知手段として、それぞれ動作する。
【００８６】
（第３実施形態）
上述の第２実施形態では、浴槽水循環ポンプＰ１と熱媒循環ポンプＰ２の両方の出力制御による追焚き処理の効率向上が行われたが、以下に説明する第３実施形態では、浴槽水循環ポンプＰ１が制御される。なお、風呂装置１００の構成および制御の大部分は上述の第１実施形態と同一のため記載を省略し、循環制御手段で行われる処理について第１実施形態と異なる点を説明する。
【００８７】
〔循環制御手段〕
循環制御手段Ｍ３は、浴槽水循環ポンプＰ１の出力を制御することにより、浴槽戻り路Ｌ７および浴槽往き路Ｌ８（浴槽水循環回路）を通流する浴槽水の流量を制御する。具体的には、追焚き処理の開始時にあたる初期追焚き期間では浴槽水の循環流量が最大となるように浴槽水循環ポンプＰ１を最大の出力で作動させ、初期追焚き期間の終了後に浴槽水循環ポンプＰ１を最大の出力よりも小さい通常浴槽水循環出力で作動させる。以下、追焚き処理の開始から終了までの動作について説明する。
【００８８】
追焚き処理の開始時、循環制御手段Ｍ３は浴槽水循環ポンプＰ１を最大出力ｑ１ｍａｘで運転させる。そして浴槽往きサーミスタＳ５で検出される、追焚き熱交換器ＥＸ５から浴槽１０へ送られる浴槽水の温度（浴槽入温度）を監視して、浴槽水の温度の単位時間当たりの上昇率を都度算出する。
当該上昇率が記憶手段Ｍｍに記憶された閾値を下回った時、初期追焚き期間が終了したと判断して、以下に述べる通常循環出力決定手段Ｍ６による循環出力の調整動作に移行する。なお、浴槽往きサーミスタＳ５が本発明の浴槽入温度検出手段として動作する。
【００８９】
初期追焚き期間が終了すると、通常循環出力決定手段Ｍ６と循環制御手段Ｍ３は、浴槽水循環ポンプＰ１を最大出力ｑ１ｍａｘに対して予め設定された減少幅（例えば、１０％）だけ減少させた出力（通常浴槽水循環出力）で作動させる。そして以下のプロセスにより、追焚き効率ηを監視しながら、追焚き効率ηが最大となるように浴槽水循環ポンプＰ１の出力を徐々に減少させる。
【００９０】
（１）予め設定された所定期間（例えば、１５秒）の間、浴槽水循環ポンプＰ１を現在の出力（第１通常浴槽水循環出力）で作動させる。そして、所定期間が終了した時点の追焚き効率ηを第１追焚き効率η１として記憶手段Ｍｍに記憶させる。
【００９１】
（２）浴槽水循環ポンプＰ１の出力を、第１通常浴槽水循環出力より予め設定された減少幅（例えば、５％）だけ減少させた出力（第２通常浴槽水循環出力）に変更し、予め設定された所定期間（例えば、１５秒）の間作動させる。そして、所定期間が終了した時点の追焚き効率ηを第２追焚き効率η２として記憶手段Ｍｍに記憶させる。
【００９２】
（３）記憶手段Ｍｍに記憶された第１追焚き効率η１と第２追焚き効率η２とを比較する。第２追焚き効率η２の方が大きい場合は、第２通常浴槽水循環出力で運転を継続する旨決定し、その出力で浴槽水循環ポンプＰ１を作動させる。
第１追焚き効率η１の方が大きい場合は、第１通常浴槽水循環出力に戻して運転を継続する旨決定し、その出力で浴槽水循環ポンプＰ１を作動させる。
【００９３】
（４）予め設定した所定期間（例えば、１５秒）の間、（３）で決定した出力で浴槽水循環ポンプＰ１を作動させたあと、（１）のプロセスに戻る。
【００９４】
以上説明した第３実施形態では、浴槽水循環ポンプＰ１が本発明の熱媒循環手段として、循環制御手段Ｍ３および通常循環出力決定手段が本発明の熱媒循環制御手段として、消費電力検知手段Ｍ５が本発明の熱媒循環消費電力検知手段として動作する。
【００９５】
（第４実施形態）
上述の第１〜第３実施形態では、初期追焚き期間の終了は、追焚き用熱交出サーミスタＳ１３で検出される熱媒の温度、または浴槽往きサーミスタＳ５で検出される浴槽水の温度、あるいはそれら両方の温度に基づいて判断された。以下に説明する第４実施形態においては、追焚き効率検知手段Ｍ４で検知される追焚き効率に基づいて判断される。なお、風呂装置１００の構成および制御の大部分は上述の第１〜第３実施形態と同一のため記載を省略し、循環制御手段Ｍ３で行われる初期追焚き期間の終了判断について説明する。
【００９６】
循環制御手段Ｍ３（第２循環制御手段）は、追焚き処理の開始時、熱媒循環ポンプＰ２（または浴槽水循環ポンプＰ１、あるいは両ポンプ）を最大の出力で運転させる。そして、追焚き効率検知手段Ｍ４で検知される追焚き効率ηを監視して、追焚き効率ηの上昇率、すなわち単位時間当たりの変化量を計算し記憶手段Ｍｍに記憶させる。
当該上昇率が記憶手段Ｍｍに記憶された閾値を下回った時、初期追焚き期間が終了したと判断して、通常循環出力決定手段Ｍ６による循環出力の調整動作に移行する。
【００９７】
上記の実施形態では、追焚き効率ηを、熱媒循環ポンプＰ２の消費電力Ｗ２と浴槽水循環ポンプＰ１の消費電力Ｗ１と熱媒加熱部Ｈ２への投入熱量Ｑとの和で浴槽１０への入力熱量Ｓを除算して算出したが、消費電力Ｗ１、Ｗ２または投入熱量Ｑのいずれかに重み付けのための係数を乗算して追焚き効率ηを計算してもよい。例えば、一次エネルギー換算量にて効率ηを算出するために、消費電力Ｗ１、Ｗ２に一次エネルギー換算係数α（２．７倍、火力発電所の平均効率０．３６９の逆数）を乗算して、以下の式を用いて追焚き効率ηを計算してもよい。
追焚き効率η＝入力熱量Ｓ／（α×消費電力Ｗ１＋α×消費電力Ｗ２＋投入熱量Ｑ）
【００９８】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００９９】
以上説明したように、追焚き処理の開始時に熱媒または浴槽水、あるいはその両方の循環流量を最大とし、初期追焚き期間の終了時に通常出力で作動させて、エネルギー効率の高い風呂装置として有効に利用することができる。
【符号の説明】
【０１００】
１０      ：浴槽
１００    ：風呂装置
Ｃ        ：運転制御部
Ｃ１      ：追焚き回路（熱媒循環回路）
ＥＸ３    ：主熱交換器（第１熱交換器）
ＥＸ４    ：副熱交換器（第１熱交換器）
ＥＸ５    ：追焚き熱交換器（第２熱交換器）
ｇ２      ：熱媒加熱用バーナ（燃焼式加熱装置）
Ｌ７      ：浴槽戻り路（浴槽水循環回路）
Ｌ８      ：浴槽往き路（浴槽水循環回路）
Ｍ１      ：追焚き処理手段
Ｍ３      ：循環制御手段
Ｍ４      ：追焚き効率検知手段
Ｍ５      ：消費電力検知手段
Ｍ６      ：通常循環出力決定手段
Ｐ１      ：浴槽水循環ポンプ（浴槽水循環手段）
Ｐ２      ：熱媒循環ポンプ（熱媒循環手段）
Ｓ５      ：浴槽往きサーミスタ（浴槽入温度検出手段）
Ｓ１３    ：追焚き用熱交出サーミスタ（第２熱交温度検出手段）
【図１】
0006478555.tif 000002
【図２】
0006478555.tif 000003
【図３】
0006478555.tif 000004